(57)【要約】【課題】ギャップパターンの生成に高い演算能力を必要とすることなく、コンプレストモード時のユーザリソースの移動が可能な基地局装置及び基地局装置におけるユーザリソース移動方法を提供する。【解決手段】コンプレストモードを実行中のユーザリソースを別のユーザリソースへ移動する場合、ユーザリソース移動元でハンドオーバする「未来のタイミング」に到達する手前のギャップパターン位相を計算可能な例えば１００ｍｓｅｃ前に到達したときに「未来のタイミング」時のギャップパターンの位相を計算し、その結果をユーザリソース移動先に通知する。ユーザリソース移動先はユーザリソース移動元から通知されたギャップパターン位相情報からギャップパターンを生成する。これにより、演算能力の高いデバイスを使わなくてもコンプレストモード時のユーザリソース移動が可能となる。【選択図】図２
2006108727.tif 000002
【特許請求の範囲】
【請求項１】
送信データに関係なく予め定められたギャップパターンに従って一定の規則の下で基地局から移動機へのデータ送信を停止するコンプレストモードを実行可能な複数のユーザリソースを備えた基地局装置において、
前記各ユーザリソースは、
コンプレストモードを実行中に別のユーザリソースへのハンドオーバが発生した場合に、ハンドオーバするタイミングである未来のタイミングを出力するコントロール手段と、
前記コントロール手段から前記未来のタイミングが出力された時点から当該タイミングに到達するまでの時間をカウントするタイミングカウント手段と、
前記未来のタイミングに到達する以前で、前記未来のタイミング時のギャップパターン位相を計算可能な時刻に到達した時点で該計算を行うギャップパターン生成手段と、
前記コントロール手段から出力された前記未来のタイミングと前記ギャップパターン生成手段で求められた前記ギャップパターン位相とをハンドオーバ先の前記ユーザリソースに通知する情報通知手段と、
を備える基地局装置。
【請求項２】
前記各ユーザリソースがハンドオーバ先となった場合、
前記タイミングカウント手段は、ハンドオーバ元のユーザリソースから通知された前記未来のタイミングに到達するまでの時間をカウントし、
前記ギャップパターン生成手段は、前記未来のタイミングに到達するとハンドオーバ元のユーザリソースから通知された前記ギャップパターン位相からギャップパターンを生成する請求項１に記載の基地局装置。
【請求項３】
前記各ユーザリソースがハンドオーバ元となった場合、
前記ギャップパターン生成手段は、前記コントロール手段に前記ギャップパターン位相を通知するに際し、該通知があることを事前に予告する予告割り込み信号を発生して前記コントロール手段に事前準備を促す請求項１又は請求項２に記載の基地局装置。
【請求項４】
移動通信システムの基地局において、請求項１乃至請求項３のいずれかに記載の基地局装置を備える基地局。
【請求項５】
送信データに関係なく予め定められたギャップパターンに従って一定の規則の下で基地局から移動機へのデータ送信を停止するコンプレストモードを実行可能な複数のユーザリソースを備えた基地局装置におけるユーザリソース移動方法において、
コンプレストモードを実行中のユーザリソースを別のユーザリソースへハンドオーバさせる際、ハンドオーバ元のユーザリソースでは、ハンドオーバするタイミングである未来のタイミングを生成してそのタイミングに到達するまでの時間をカウントし、該タイミングに到達する以前で該タイミング時のギャップパターン位相を計算可能な時刻に到達した時点で該計算を行い、その結果と前記未来のタイミングとをハンドオーバ先のユーザリソースに通知し、
前記ハンドオーバ先のユーザリソースでは、前記ハンドオーバ元のユーザリソースから通知された前記未来のタイミングに到達するまでの時間をカウントし、前記未来のタイミングに到達すると前記ハンドオーバ元のユーザリソースから通知された前記ギャップパターン位相からギャップパターンを生成する基地局装置におけるユーザリソース移動方法。
【発明の詳細な説明】
【技術分野】
【０００１】
本発明は、ＣＤＭＡ（Code Division Multiple Access）携帯電話システム等の移動通信システムに用いて好適な基地局装置及び基地局装置におけるユーザリソース移動方法に関する。
【背景技術】
【０００２】
従来、上述した移動通信システムでは、通常、基地局（BTS：Base Transceiver Station）は異なる複数の周波数を保持しており、移動機（MS：Mobile Station）といずれかの周波数を使用して通信を行っている。
【０００３】
移動機が周波数の異なる基地局間を移動する場合、移動機は２つの周波数と同時に通信を行う必要があるが、通常、移動機は局部発振器を１つしか保持していないため、１つの周波数と通信している間、もう一方の周波数のデータ送信を停止するようにしている。その手法はコンプレストモードとして３ＧＰＰ（3rd Generation Partnership Project）仕様の『TS25.212 v3.5.04.4 Compressed mode』や『TS25.215 v3.5.06.1.1 Compressed mode』に記載されている。
【０００４】
図４は、コンプレストモードにおける周波数間ハンドオーバを説明するための図である。この図において、基地局（BTS）１は２つの周波数を保持し、移動機（MS）３といずれかの周波数を使用して通信を行うが、基地局１の通信領域であるセル１０において周波数ｆ１で通信を行っている移動機３が、周波数ｆ２しか保持していない基地局２の通信領域であるセル２０へ移動する際、周波数をｆ１から周波数ｆ２へ変更する必要がある。上述したように移動機３は局部発振器を１つしか有していないため、周波数間ハンドオーバ元周波数ｆ１で通信を行いながら、周波数間ハンドオーバ先周波数ｆ２で送信されている下り信号を受信することはできない。そこで、移動機３は、コンプレストモードにおけるギャップ（Ｇａｐ）で周波数をｆ１からｆ２に切り替えて、基地局１に送信するデータと同一のデータを基地局２に送信する。このように、移動機３は、異なる周波数の基地局を移動する場合に、コンプレストモードと呼ばれる間欠通信を行うモードに移行する。
【０００５】
コンプレストモードでは、送信データに関係なく予め定められたギャップパターンに従って一定の規則の下、基地局から移動機へのデータ送信が停止される。コンプレストモード時に生じるギャップパターンは、その長さや時間的位置が予め定められたパターンに従っており、規則的になっている。なお、コンプレストモードにおける周波数間ハンドオーバについては、例えば特許文献１に詳しく述べられている。
【０００６】
ところで、基地局の都合でコンプレストモードを実行中のユーザリソース（電子回路を実装した基板）を別のユーザリソースへ移動する場合（即ち基板のハンドオーバを行う場合）、コンプレストモード時に生じるギャップパターンの位相が何処まで進んでいたかをハンドオーバ先のユーザリソースに通知する必要がある。基地局装置は、装置各部を制御するコントロール部（図示略）と、ギャップパターンを生成するギャップパターン生成部（図示略）とを備えており、基地局内でユーザリソースを移動する必要が発生すると、コントロール部はギャップパターン生成部に未来のタイミング（ハンドオーバするタイミング）を指定し、ギャップパターン生成部は、コントロール部にて指定された未来のタイミング時のギャップパターンを計算する。
【０００７】
【特許文献１】特開２００４−８８５２２号公報
【発明の開示】
【発明が解決しようとする課題】
【０００８】
しかしながら、従来の基地局装置におけるユーザリソース移動方法においては、コンプレストモードを実行中のユーザリソースから別のユーザリソースにハンドオーバする際に、未来のタイミング時のギャップパターンを瞬時に計算しなければならず、高い演算能力が要求される。このため、演算を行うデバイスが高額になり、その分、基地局装置自体が高額になるという問題がある。
【０００９】
本発明は、係る事情に鑑みてなされたものであり、ギャップパターンの生成に高い演算能力を必要とすることなく、コンプレストモード時のユーザリソースの移動が可能な基地局装置及び基地局装置におけるユーザリソース移動方法を提供することを目的とする。
【課題を解決するための手段】
【００１０】
上記目的は下記構成及び方法により達成される。
（１）  送信データに関係なく予め定められたギャップパターンに従って一定の規則の下で基地局から移動機へのデータ送信を停止するコンプレストモードを実行可能な複数のユーザリソースを備えた基地局装置において、前記各ユーザリソースは、コンプレストモードを実行中に別のユーザリソースへのハンドオーバが発生した場合に、ハンドオーバするタイミングである未来のタイミングを出力するコントロール手段と、前記コントロール手段から前記未来のタイミングが出力された時点から当該タイミングに到達するまでの時間をカウントするタイミングカウント手段と、前記未来のタイミングに到達する以前で、前記未来のタイミング時のギャップパターン位相を計算可能な時刻に到達した時点で該計算を行うギャップパターン生成手段と、前記コントロール手段から出力された前記未来のタイミングと前記ギャップパターン生成手段で求められた前記ギャップパターン位相とをハンドオーバ先の前記ユーザリソースに通知する情報通知手段と、を備える。
【００１１】
（２）  上記（１）に記載の基地局装置において、前記各ユーザリソースがハンドオーバ先となった場合、前記タイミングカウント手段は、ハンドオーバ元のユーザリソースから通知された前記未来のタイミングに到達するまでの時間をカウントし、前記ギャップパターン生成手段は、前記未来のタイミングに到達するとハンドオーバ元のユーザリソースから通知された前記ギャップパターン位相からギャップパターンを生成する。
【００１２】
（３）  上記（１）又は（２）に記載の基地局装置において、前記各ユーザリソースがハンドオーバ元となった場合、前記ギャップパターン生成手段は、前記コントロール手段に前記ギャップパターン位相を通知するに際し、該通知があることを事前に予告する予告割り込み信号を発生して前記コントロール手段に事前準備を促す。
【００１３】
（４）  移動通信システムの基地局において、上記（１）乃至（３）のいずれかに記載の基地局装置を備える。
【００１４】
（５）  送信データに関係なく予め定められたギャップパターンに従って一定の規則の下で基地局から移動機へのデータ送信を停止するコンプレストモードを実行可能な複数のユーザリソースを備えた基地局装置におけるユーザリソース移動方法において、コンプレストモードを実行中のユーザリソースを別のユーザリソースへハンドオーバさせる際、ハンドオーバ元のユーザリソースでは、ハンドオーバするタイミングである未来のタイミングを生成してそのタイミングに到達するまでの時間をカウントし、該タイミングに到達する以前で該タイミング時のギャップパターン位相を計算可能な時刻に到達した時点で該計算を行い、その結果と前記未来のタイミングとをハンドオーバ先のユーザリソースに通知し、前記ハンドオーバ先のユーザリソースでは、前記ハンドオーバ元のユーザリソースから通知された前記未来のタイミングに到達するまでの時間をカウントし、前記未来のタイミングに到達すると前記ハンドオーバ元のユーザリソースから通知された前記ギャップパターン位相からギャップパターンを生成する。
【発明の効果】
【００１５】
上記（１）、（２）に記載の基地局装置によれば、ハンドオーバ元のユーザリソースにおいて、未来のタイミングに到達する手前のギャップパターン位相を計算可能な時刻（数ｍｓｅｃ前）に到達したときに未来のタイミング時のギャップパターン位相を計算するので、未来のタイミング時にギャップパターン位相を計算する場合と比較して、演算能力の高いデバイスを使用しなくてもコンプレストモード時のユーザリソース移動が可能となる。
【００１６】
上記（３）に記載の基地局装置によれば、ギャップパターン生成手段がコントロール手段にギャップパターン位相を通知する際に、事前に予告をする「予告割り込み信号」を発生して、コントロール手段に事前準備を促すようにするので、さらに、ギャップパターン生成手段に演算能力が高くないデバイスの使用が可能となる。
【００１７】
上記（４）に記載の基地局によれば、安価な基地局装置を備えることによるコストダウンが可能となる。
【００１８】
上記（５）に記載の基地局装置のユーザリソース移動方法によれば、ハンドオーバ元のユーザリソースにおいて、未来のタイミングに到達する手前のギャップパターン位相を計算可能な数ｍｓｅｃ前に到達したときに未来のタイミング時のギャップパターン位相を計算するので、未来のタイミング時にギャップパターン位相を計算する場合と比較して、演算能力の高いデバイスを使用しなくてもコンプレストモード時のユーザリソース移動が可能となる。
【発明を実施するための最良の形態】
【００１９】
以下、本発明の実施を形態するための好適な実施の形態について、図面を参照して詳細に説明する。
【００２０】
図１は、本発明の一実施の形態に係る移動通信システムの概略構成を示すブロック図である。この図１において、本実施の形態の移動通信システムは、基地局（BTS）１００及び２００と、移動機（MS）３００と、無線ネットワーク制御装置（RNC：Radio Network Controller）４００とを備えて構成されており、無線ネットワーク制御装置４００はコアネットワーク（Core Network）に接続されている。
【００２１】
図２は、基地局１００及び２００夫々の装置（基地局装置）に内蔵されている基板５０Ａ、５０Ｂの一部構成を示すブロック図である。ここで、基板５０Ａ、５０Ｂは同一の構成及び機能を有しているので、それぞれの各部を区別し易いように、数字の符号に続けてＡとＢを付すことにする。すなわち、基板５０Ａは、入力部１０Ａと、コントロール部１１Ａと、ギャップパターン生成部１２Ａと、タイミングカウント部１３Ａと、出力部１４Ａとを備えており、基板５０Ｂは、入力部１０Ｂと、コントロール部１１Ｂと、ギャップパターン生成部１２Ｂと、タイミングカウント部１３Ｂと、出力部１４Ｂとを備えている。但し、一方から他方へ処理の移動即ちユーザリソースの移動を行う場合には、移動元となる基板と移動先となる基板とでは、それぞれ異なる動作を行う。基板５０Ａ、５０Ｂは、移動元となる場合と移動先となる場合の２つ場合に対応できる機能即ちプログラムを持っている。
【００２２】
入力部１０Ａ、１０Ｂは、図示せぬ送信部より入力される送信データのデータ列を取り込み、ギャップパターン生成部１２Ａ、１２Ｂに入力する。コントロール部１１Ａ、１１Ｂは、各部を制御する。ギャップパターン生成部１２Ａ、１２Ｂは、入力部１０Ａ、１０Ｂにて取り込まれたデータ列とコントロール部１１Ａ、１１Ｂより入力されたパラメータとに基づいてギャップパターンを生成する。
【００２３】
タイミングカウント部１３Ａ、１３Ｂは、コントロール部１１Ａ、１１Ｂより「未来のタイミング」が入力されることで、「未来のタイミング」に到達するまでの時間をカウントする。なお、「未来のタイミング」とは、基板５０Ａから基板５０Ｂに処理が移行するタイミングである。出力部１４Ａ、１４Ｂは、ギャップパターン生成部１２Ａ、１２Ｂで生成されたギャップパターンを出力する。
【００２４】
２枚の基板５０Ａ、５０Ｂ間で、例えば基板５０Ａがコンプレストモードを実行中に基地局１００又は２００の都合で基板５０Ｂへハンドオーバする場合、基板５０Ｂへはコンプレストモード時に生ずるギャップパターンの位相が何処まで進んでいたかを示す情報（これをギャップパターン位相情報と呼ぶ）が通知される。この際、基板５０Ｂにギャップパターン位相情報を通知するためには時間的遅延が生ずる為、基板５０Ａでは、基板５０Ｂに処理を渡すための「未来のタイミング」よりも早いタイミングで、ギャップパターン生成部１２Ａが未来のタイミング時のギャップパターン位相を計算し、その結果であるギャップパターン位相情報をコントロール部１１Ａに通知する。
【００２５】
すなわち、基板５０Ａから基板５０Ｂにハンドオーバする場合、基板５０Ａのコントロール部１１Ａがタイミングカウント部１３Ａに「未来のタイミング」を通知する。これにより、タイミングカウント部１３Ａが「未来のタイミング」に到達するまでカウントを開始し、さらに「未来のタイミング」の手前即ち未来のタイミング時のギャップパターン位相を計算可能な数ｍｓｅｃ（例えば１００ｍｓｅｃとする）前に到達しかどうか判定し、当該タイミングに到達すると、ギャップパターン生成部１２Ａに通知する。ギャップパターン生成部１２Ａは、「未来のタイミング」の手前のタイミングに到達したときに、未来のタイミング時のギャップパターン位相を計算し、その結果であるギャップパターン位相情報をコントロール部１１Ａに通知する。
【００２６】
コントロール部１１Ａは、ギャップパターン生成部１２Ａで生成されたギャップパターン位相情報を基板５０Ｂのコントロール部１１Ｂに通知する。また同時にコントロール部１１Ｂに「未来のタイミング」を通知する。コントロール部１１Ｂは、コントロール部１１Ａより通知されたギャップパターン位相情報をギャップパターン生成部１２Ｂに入力するとともに、通知された「未来のタイミング」をタイミングカウント部１３Ｂに入力する。タイミングカウント部１３Ｂは、「未来のタイミング」が入力されることで、そのタイミングに到達するまで時間をカウントし、到達したときにギャップパターン生成部１２Ｂに通知する。ギャップパターン生成部１２Ｂは、「未来のタイミング」が入力されると、コントロール部１１より入力済みのギャップパターン位相情報からギャップパターンの生成を行う。
【００２７】
次に、図３に示すフローチャートを参照しながら、基板５０Ａ、５０Ｂ夫々の各部の動作について説明する。基板５０Ａがコンプレストモードを実行中に基地局の都合で基板５０Ｂへハンドオーバする場合、まずユーザリソース移動元の基板５０Ａのコントロール部１１Ａがタイミングカウント部１３Ａにユーザリソースを移動する「未来のタイミング」を入力する（ステップＳ１）。タイミングカウント部１３Ａは入力された「未来のタイミング」に到達するまで時間のカウントを開始し（ステップＳ２）、さらに「未来のタイミング」の１００ｍｓｅｃ前に到達したかどうか判定する（ステップＳ３）。「未来のタイミング」の１００ｍｓｅｃ前に到達していない場合はステップＳ２に戻り、到達した場合には「未来のタイミング」時のギャップパターンの位相を算出し、その結果をコントロール部１１Ａに入力する（ステップＳ４）。
【００２８】
コントロール部１１Ａにギャップパターン位相が入力されると、コントロール部１１Ａは「未来のタイミング」とギャップパターン生成部１２Ａより入力された「ギャップパターン位相」とを基板５０Ｂのコントロール部１１Ｂに通知する（ステップＳ５）。基板５０Ｂのコントロール部１１Ｂに「未来のタイミング」と「ギャップパターン位相」が通知されると、コントロール部１１Ｂは、タイミングカウント部１３Ｂに「未来のタイミング」を入力し、さらにギャップパターン生成部１２Ｂに「ギャップパターン位相」を入力する（ステップＳ６）。
【００２９】
基板５０Ｂのタイミングカウント部１３Ｂは、「未来のタイミング」に到達するまで時間をカウントし、到達したときにギャップパターン生成部１２Ｂに通知する（ステップＳ７）。ギャップパターン生成部１２Ｂは、コントロール部１１Ｂから入力されたギャップパターン位相からギャップパターンを生成する（ステップＳ８）。生成されたギャップパターンは出力部１４Ｂより出力される（ステップＳ９）。
【００３０】
このように本実施の形態の基地局装置によれば、コンプレストモードを実行中のユーザリソースを別のユーザリソースへ移動する場合、ユーザリソース移動元でハンドオーバする「未来のタイミング」に到達する手前のギャップパターン位相を計算可能な例えば１００ｍｓｅｃ前に到達したときに、「未来のタイミング」時のギャップパターンの位相を計算し、その結果をユーザリソース移動先に通知する。ユーザリソース移動先はユーザリソース移動元から通知されたギャップパターン位相情報からギャップパターンを生成する。
【００３１】
したがって、「未来のタイミング」に到達する手前のギャップパターン位相を計算可能な数ｍｓｅｃ前に到達したときに「未来のタイミング」時のギャップパターンの位相を計算することから、演算能力の高いデバイスを使わなくてもコンプレストモード時のユーザリソース移動が可能となる。
【００３２】
なお、上記実施の形態において、ギャップパターン生成部１３Ａがコントロール部１１Ａにギャップパターン位相情報を通知するに際し、該通知があることを事前に予告する「予告割り込み信号」を発生してコントロール部１１Ａの事前準備を促すようにしても良い。このようにすることにより、さらに、ギャップパターン生成部１２Ａに演算能力が高くないデバイスの使用が可能となる。
【産業上の利用可能性】
【００３３】
本発明は、ギャップパターンの生成のためのデバイスに演算能力の高くないものを使用してもコンプレストモード時のユーザリソースの移動が可能であるといった効果を有し、ＣＤＭＡ携帯電話システム等の移動通信システムの基地局装置などへの適用が可能である。
【図面の簡単な説明】
【００３４】
【図１】本発明の一実施の形態に係る移動通信システムの概略構成を示すブロック図
【図２】図１の移動通信システムの基地局装置に内蔵されている基板の一部構成を示すブロック図
【図３】図１の移動通信システムの基地局装置におけるユーザリソース移動処理を説明するためのフローチャート
【図４】コンプレストモードにおける周波数間ハンドオーバを説明するための図
【符号の説明】
【００３５】
１０Ａ、１０Ｂ  入力部
１１Ａ、１１Ｂ  コントロール部
１２Ａ、１２Ｂ  ギャップパターン生成部
１３Ａ、１３Ｂ  タイミングカウント部
１４Ａ、１４Ｂ  出力部
５０Ａ、５０Ｂ  基板
【図１】
2006108727.tif 000003
【図２】
2006108727.tif 000004
【図３】
2006108727.tif 000005
【図４】
2006108727.tif 000006